(57)【要約】本願はフレキシブルＬＥＤランプモジュールを開示し、このフレキシブルＬＥＤランプモジュールは、収容空間を有するフレキシブルシース（１）と、フレキシブルシース（１）に収容可能な発光部品（２）と、を備えており、発光部品（２）は、複数のフレキシブルＬＥＤランプバンド（２１）と、フレキシブルＬＥＤランプバンド（２１）を電気的に接続させるための導線（２２）と、を備えており、フレキシブルシース（１）と、発光部品（２）とは、フレキシブルＬＥＤランプバンド（２１）は導線（２２）で電気的接続される場合、フレキシブルＬＥＤランプバンド（２１）は収容空間に充填されるように配置されている。本願に係るフレキシブルＬＥＤランプモジュールは、着脱が簡単で、いずれかのＬＥＤランプバンドが壊れても、該当ＬＥＤランプバンドを取り出して単独に修理することができ、使用率を向上することができるとともに、横方向または縦方向に曲げることで色々な特殊の照明効果を作り出すこともでき、使用されない場合、曲げて収納されてもよく、空間を節約する。【選択図】図１
2019515424.tif 000002
【特許請求の範囲】
【請求項１】
フレキシブルシース（１）と、
前記フレキシブルシース（１）に収容可能な発光部品（２）と、を備えており、
前記発光部品（２）は、
複数のフレキシブルＬＥＤランプバンド（２１）と、
前記フレキシブルＬＥＤランプバンド（２１）を電気的に接続させるための導線（２２）と、を備えており、
前記複数のフレキシブルＬＥＤランプバンド（２１）の形状は前記フレキシブルシース（１）に規制される、
ことを特徴とするフレキシブルＬＥＤランプモジュール。
【請求項２】
前記フレキシブルシース（１）は収容空間を有し、前記収容空間は前記複数のフレキシブルＬＥＤランプバンド（２１）で充填される、
ことを特徴とする請求項１に記載のフレキシブルＬＥＤランプモジュール。
【請求項３】
前記フレキシブルシース（１）は
フレキシブル底面（１１）と、
前記フレキシブル底面（１１）を覆って設けられており、前記フレキシブル底面（１１）との間に前記収容空間を形成し、前記収容空間の一側に開口がある透明なフレキシブル表面（１２）と、
前記収容空間に設けられ、前記フレキシブル表面（１２）と前記フレキシブル底面（１１）とを接続させるために用いられ、前記収容空間をその長手方向又は幅方向に少なくとも２つの室（１４）に分け、前記室（１４）の各自が前記開口と連通する少なくとも一つのフレキシブル壁（１３）と、を備えており、
前記フレキシブルＬＥＤランプバンド（２１）のそれぞれが行又は列を成して前記室（１４）に設けられ、前記フレキシブルＬＥＤランプバンド（２１）の数が前記室（１４）の数以下である、
ことを特徴とする請求項１に記載のフレキシブルＬＥＤランプモジュール。
【請求項４】
前記フレキシブル壁（１３）は少なくとも２つがあり、そして、前記フレキシブル壁（１３）の両端が前記フレキシブル底面（１１）に接続固定され、前記フレキシブルＬＥＤランプバンド（２１）は、前記フレキシブル壁（１３）と前記フレキシブル底面（１１）とによって囲まれた前記室（１４）に収容可能である、
ことを特徴とする請求項３に記載のフレキシブルＬＥＤランプモジュール。
【請求項５】
前記フレキシブル表面（１２）と前記フレキシブル底面（１１）との間には、所定の距離おきに縫合線が設けられ、前記縫合線は少なくとも３本がある、
ことを特徴とする請求項３に記載のフレキシブルＬＥＤランプモジュール。
【請求項６】
前記室（１４）内の前記フレキシブルＬＥＤランプバンド（２１）が前記導線（２２）を介して並列接続され、
前記導線（２２）の末端に電源プラグ（３）が設けられる、
ことを特徴とする請求項３に記載のフレキシブルＬＥＤランプモジュール。
【請求項７】
前記開口側においては、カバー端（４）が形成されるように、前記フレキシブル底面（１１）が前記フレキシブル表面（１２）よりも長く、若しくは、前記フレキシブル表面（１２）が前記フレキシブル底面（１１）よりも長くなっており、
前記カバー端（４）の内側面には、面ファスナー（５）のフック面（５１）が設けられ、
前記フレキシブル表面（１２）の外側面における前記開口に近い位置には、前記面ファスナー（５）のループ面（５２）が設けられる、
ことを特徴とする請求項３に記載のフレキシブルＬＥＤランプモジュール。
【請求項８】
前記フレキシブル底面（１１）は遮光材料によって作成される、
ことを特徴とする請求項３〜７のいずれか１項に記載のフレキシブルＬＥＤランプモジュール。
【請求項９】
前記フレキシブル底面（１１）は長方形であり、
前記フレキシブルシース（１）は、
前記フレキシブル底面（１１）の外側面の角に設けられる固定バンド（１５）をさらに備える、
ことを特徴とする請求項１〜７のいずれか１項に記載のフレキシブルＬＥＤランプモジュール。
【請求項１０】
前記フレキシブルＬＥＤランプバンド（２１）は
フレキシブル配線板（２１１）と、
前記フレキシブル配線板（２１１）に並列接続或いは直列接続に設けられるＬＥＤ発光素子（２１２）と、
を備えることを特徴とする請求項１〜７のいずれか１項に記載のフレキシブルＬＥＤランプモジュール。
【発明の詳細な説明】
【技術分野】
【０００１】
本発明は、点灯照明分野に関し、特に、ＬＥＤランプに関する。
【背景技術】
【０００２】
通常のＬＥＤランプモジュールは２種類があり、１つ目のＬＥＤランプは硬質材料で作成されて自らの一定の形状を確保する。このＬＥＤランプの外形が変わりにくく、使用される場合、任意形状の文字やパターンにつなぎ合わせることが難しい。
【０００３】
２つ目のＬＥＤランプは、フレキシブル材料で作成されるランプバンドであり、複数のフレキシブルランプバンドを導線で接続し、所定の形状に配置して硬質の底板に貼り付けて、分離不能の全体として形成される。各ＬＥＤランプバンドは特定の色の光線を発射することができ、これにより、各ＬＥＤランプバンドで形成されるＬＥＤランプモジュールは所定の文字やパターンを表示することができる。しかし、あるＬＥＤランプバンドが壊れた場合、硬質の底板から取り外さないといけない。ＬＥＤランプバンドは貼り付けることで底板に固定されるので、交換する過程において、あたりに位置する正常に機能するＬＥＤランプを引っ張る可能性があり、ひいて無駄な損失をもたらす。交換しなければ、文字やパターンの表示効果に影響を及ぼす。なお、所定の文字やパターンを変更する場合、ＬＥＤランプモジュール全体が改めて作成される必要があるが、実際に、既存のＬＥＤランプバンドにおいて殆どが壊れず、莫大な資源が無駄になる。
【０００４】
この２種類のＬＥＤランプは、使用されない場合、折り畳んで収納されることが難しい。
【発明の概要】
【発明が解決しようとする課題】
【０００５】
よって、本発明は、フレキシブルＬＥＤランプモジュールを提案して上記した技術問題について１つ又は複数を解決する。
【課題を解決するための手段】
【０００６】
本願に係るフレキシブルＬＥＤランプモジュールによれば、フレキシブルシースと、前記フレキシブルシースに収容可能な発光部品と、を備えており、前記発光部品は、複数のフレキシブルＬＥＤランプバンドと、前記フレキシブルＬＥＤランプバンドを電気的に接続させるための導線と、を備えており、複数の前記フレキシブルＬＥＤランプバンドの形状は前記フレキシブルシースに規制される。
【０００７】
本願に係るフレキシブルＬＥＤランプモジュールによれば、着脱が簡単で、内部の何れかのＬＥＤランプが壊れても、簡単に取り出して単独に修理、交換することができ、使用率を向上することができるとともに、横方向または縦方向に曲げることで色々な特殊の照明効果を作り出すこともでき、使用されない場合、曲げて収納されてもよく、空間を節約する。
【０００８】
本発明のいくつかの実施形態において、前記フレキシブルシースは収容空間を有し、前記収容空間は複数の前記フレキシブルＬＥＤランプバンドで充填される。
【０００９】
本発明のいくつかの実施形態において、前記フレキシブルシースはフレキシブル底面と、フレキシブル底面を覆って設けられており、前記フレキシブル底面との間に前記収容空間を形成し、前記収容空間の一側に開口がある透明なフレキシブル表面と、前記収容空間に設けられて前記フレキシブル表面と前記フレキシブル底面とを接続し、前記収容空間を前記収容空間の長手方向あるいは幅方向に沿って少なくとも２つの室に分けて、各前記室は前記開口と連通する少なくとも１本のフレキシブル壁と、を備えており、各フレキシブルＬＥＤランプバンドは行あるいは列を成して前記室に設けられ、前記フレキシブルＬＥＤランプバンドの数は前記室の数以下である。
【００１０】
本実施形態において、フレキシブル壁が設けられており、フレキシブル壁は収容空間に複数の室を分けて、フレキシブルＬＥＤランプバンドの数は室の数より少ない場合、使用に影響せずにフレキシブルＬＥＤランプバンドを室に収容することができ、フレキシブルＬＥＤランプバンドによって室に収容される位置を調整することでより特殊な視覚効果を作り出すこともできる。なお、このような設置方式は、あるフレキシブルＬＥＤランプバンドを単独に交換しやすくする。フレキシブルＬＥＤランプバンドの数は室の数に等しい場合、各フレキシブルＬＥＤランプバンドが対応する収容位置を有することを確保でき、フレキシブルＬＥＤランプバンドの配置はもっと整然で安定になる。
【００１１】
本発明のいくつかの実施形態において、前記フレキシブル壁は少なくとも２つがあり、各前記フレキシブル壁の両端は前記フレキシブル底面と固定して接続され、前記フレキシブルＬＥＤランプバンドは、前記フレキシブル壁と前記フレキシブル底面とが形成される前記室に収容可能である。
【００１２】
本発明のいくつかの実施形態において、前記フレキシブル表面は、所定の距離おきにフレキシブル底面と縫合線を有して、前記縫合線は少なくとも３本がある。よって、フレキシブル表面とフレキシブル底面に複数の室が直接形成され、フレキシブル壁を省略する。
【００１３】
本発明のいくつかの実施形態において、各前記室における前記フレキシブルＬＥＤランプバンドは前記導線によって並列接続され、前記導線の末端に電源プラグが設けられる。
【００１４】
本発明のいくつかの実施形態において、前記開口側において、前記フレキシブル底面は前記フレキシブル表面より長く、あるいは、前記フレキシブル表面は前記フレキシブル底面より長くてカバー端４に形成し、前記カバー端４の内側面に面ファスナーのフック面が設けられ、前記フレキシブル表面の外側面における前記開口に近い位置に前記面ファスナーのループ面が設けられる。
【００１５】
当業者にとっては、面ファスナーを有するカバー端が設けられることは、フレキシブルＬＥＤランプバンドを室に閉じ込め、室から離脱しにくくするとともに、汚染物が室に侵入しフレキシブルＬＥＤランプバンドと接触して使用寿命を短縮することを防止することができることを理解すべきである。
【００１６】
本発明のいくつかの実施形態において、前記フレキシブル底面は遮光材料によって作成される。
【００１７】
本発明のいくつかの実施形態において、前記フレキシブル底面は長方形であり、前記フレキシブルシースは前記フレキシブル底面の外側面の角に設けられる固定バンドをさらに備える。これにより、
【００１８】
本発明のいくつかの実施形態において前記フレキシブルＬＥＤランプバンドはフレキシブル配線板と、前記フレキシブル配線板に並列接続あるいは直接接続に設けられるＬＥＤ発光素子と、を備える。
【図面の簡単な説明】
【００１９】
【図１】本発明の一実施形態に係るフレキシブルＬＥＤランプモジュールの概略構造図である。
【図２】本発明の一実施形態に係るフレキシブルＬＥＤランプモジュールの発光部品が完全にフレキシブルシースに収容された後の概略構造図である。
【図３】本発明の一実施形態に係るフレキシブルＬＥＤランプモジュールのフレキシブルシースの上面図である。
【図４】本発明の一実施形態に係るフレキシブルＬＥＤランプモジュールの側面断面図である。
【図５】図４におけるＡ部分の局部拡大図である。
【図６】図４におけるＡ部分の別の概略構造図である。
【図７】本発明の一実施形態に係るフレキシブルＬＥＤランプモジュールの背面図である。
【図８】本発明の一実施形態に係るフレキシブルＬＥＤランプモジュールの屈曲状態での概略図である。
【図９】本発明の一実施形態に係るフレキシブルＬＥＤランプモジュールの別の屈曲状態での概略図である。
【発明を実施するための形態】
【００２０】
発明の目的、技術案および利点をより明瞭にするように、以下、図面と発明を実施するための形態とを参照しながら本発明をより詳細に説明する。図面において本開示の例示的な実施例が示されているが、ここで記載されている実施例に規制せず、色々な態様で本発明を実現することができることを理解すべきである。逆に、これらの実施例を提供することが、本発明をより詳しくてはっきり理解させるとともに、本発明の範囲を完全に当業者に伝えるためである。
【００２１】
図１〜３に示されるように、フレキシブルＬＥＤランプモジュールは収容空間を有するフレキシブルシース１と前記収容空間に収容可能な発光部品２とを備える。
【００２２】
フレキシブルシース１は不透明なフレキシブル底面１１と透明なフレキシブル表面１２とを備えており、フレキシブル表面１２はフレキシブル底面１１に縫い付けられて収容空間を形成し、当該収容空間の一側に開口がある。上記の収納期間に複数のフレキシブル壁１３が設けられている。
【００２３】
図４と図５に示されるように、フレキシブル壁１３の両端ともフレキシブル底面１１に接続され、これにより、フレキシブル壁１３とフレキシブル底面１１とが室１４に形成する。各室１４は上記の開口と連通している。フレキシブル壁１３は縫合または貼り付けによって固定される。使用環境の要求によって、フレキシブル底面１１は透明であってもよい。
【００２４】
本発明の一実施形態において、フレキシブル壁１３の一端はフレキシブル底面１１と接続し、他端はフレキシブル表面１２と接続し、収容空間の全長方向に沿って分布される。収容空間が複数のフレキシブル壁１３で長手方向に沿って複数の室１４に分けられる。各室１４は上記の開口と連通しており、つまり、各室１４の一側は開口される。
【００２５】
本発明の一実施形態において、図６に示されるように、フレキシブル表面１２は、ある距離おきにフレキシブル底面１１と縫合線を有するので、フレキシブル表面１２はフレキシブル底面１１と直接に複数の室１４に形成することができ、各室１４の一側は開口される。
【００２６】
発光部品２は複数のフレキシブルＬＥＤランプバンド２１およびフレキシブルＬＥＤランプバンド２１を電気的に接続させるための導線２２を備える。各ＬＥＤランプバンド２１は室１４に完全に収容されることができる。この場合、フレキシブルＬＥＤランプバンド２１の数は室１４の数以下であってもよい。各室１４におけるフレキシブルＬＥＤランプバンド２１は導線２２によって並列接続され、導線２２の末端に電源プラグ３が設けられる。
【００２７】
本発明の一実施形態において、上記のフレキシブルＬＥＤランプバンド２１はフレキシブル配線板２１１およびフレキシブル配線板２１１に並列接続あるいは直接接続に設けられるＬＥＤ発光素子２１２を備える。
【００２８】
図２と図３に示されるように、フレキシブルシース１は開口する一側を有して、フレキシブル底面１１はフレキシブル表面１２より長くてカバー端４に形成する。カバー端４の内側面に面ファスナー（ベルクロ）５のフック面５１が貼り付けられたり縫合されたりしており、フレキシブル表面１２の外側面における前記開口に近い位置に面ファスナー５のループ面５２が貼り付けられたり縫合されたりする。カバー端４は上に折り畳まれると、フック面５１とループ面５２はちょうど互いに付着され、複数のフレキシブルＬＥＤランプバンド２１が室１４に封止される。このように、導線２２はフレキシブルであるので、カバー端４が折り畳まれ、殆どの導線２２がカバー端４に包まれても、導線２２の末端の電源プラグ３がフレキシブルシース１から外に伸びることに影響せず、ユーザが依然として電源プラグ３を電源と簡単に接続することができる。
【００２９】
当業者であれば、面ファスナー５は、ボタン、結び目あるいは食品密封袋におけるシールリップのようなもので置換されてもよいことを理解すべきである。
【００３０】
図６に示されるように、フレキシブルＬＥＤランプモジュールを分解するとき、面ファスナー５をはがして、フレキシブル導線２２を手で取って発光部品２全体をフレキシブルシース１から簡単に取り出すことができる。もちろん、ユーザは各室１４に設けられるフレキシブルＬＥＤランプバンド２１を単に取り出すこともできる。
【００３１】
図７に示されるように、フレキシブルシース１のフレキシブル底面１１の外側面にさらに固定バンド１５が設けられる。固定バンド１５の数は実際の状況によって決定されてもよい。本実施列において、フレキシブルシース１は長方形であり、固定バンド１５はフレキシブルシース１の各角に設けられ、つまり、固定バンド１５は４つがある。フレキシブルＬＥＤランプモジュールを吊るして使用しないとならない場合、固定バンド１５は吊り点としてそれぞれ支持フレームの対応する４つの角に固定される。固定バンド１５は弾性のあるゴムひもであってもよく、弾性のない布帯であってもよい。
【００３２】
図８と図９に示されるように、ＬＥＤランプバンドを作成する材料がフレキシブルでああるので、優れた屈曲性を有して、ＬＥＤランプバンドは横方向または縦方向に屈曲されることができ、色々な照明効果を作り出すことができる。なお、使用されない場合、屈曲状態で収納されてもよく、空間を節約する。
【００３３】
以上は、本発明のいくつかの実施形態に過ぎない。当業者にとっては、本発明の発明概念から逸脱しない限り、様々な変更および改良が可能であることが明らかであり、これらはすべて本発明の保護範囲に含まれる。
【図１】
2019515424.tif 000003
【図２】
2019515424.tif 000004
【図３】
2019515424.tif 000005
【図４】
2019515424.tif 000006
【図５】
2019515424.tif 000007
【図６】
2019515424.tif 000008
【図７】
2019515424.tif 000009
【図８】
2019515424.tif 000010
【図９】
2019515424.tif 000011
【国際調査報告】
2019515424.tif 000012
2019515424.tif 000013
2019515424.tif 000014
2019515424.tif 000015